【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
光ディスクから読み取った信号からアドレス領域又はデータ領域を示す情報を、アナログ処理系において抽出する工程と、
前記情報に基づいて、アドレス領域からの信号のアナログ処理をするか、または、データ領域からの信号のアナログ処理をするかを指示する信号を生成する工程と、を含む、
ことを特徴とする、光ディスク再生方法。
【請求項２】
光ディスクから読み取った信号からアドレス領域又はデータ領域を示す情報を、アナログ処理系において抽出する工程と、
光ディスクからの信号の読み出し開始直後は、前記情報に基づいて、アドレス領域からの信号のアナログ処理をするか、または、データ領域からの信号のアナログ処理をするかを指示する信号を生成する工程と、を含む、
ことを特徴とする光ディスク再生方法。
【請求項３】
光ディスクから読み取った信号からアドレス領域又はデータ領域を示す情報を、アナログ処理系において抽出する手段と、
前記情報に基づいて、アドレス領域からの信号のアナログ処理をするか、または、データ領域からの信号のアナログ処理をするかを指示する信号を生成する手段と、を含む、
ことを特徴とする光ディスク再生装置。
【請求項４】
光ディスクから読み取った信号からアドレス領域又はデータ領域を示す情報を、アナログ処理系において抽出する手段と、
光ディスクからの信号の読み出し開始直後は、前記情報に基づいて、アドレス領域からの信号のアナログ処理をするか、または、データ領域からの信号のアナログ処理をするかを指示する信号を生成する手段と、を含む、
ことを特徴とする光ディスク再生装置。
【手続補正２】
【補正対象書類名】明細書
【補正対象項目名】００１３
【補正方法】変更
【補正の内容】
【００１３】
上記目的を達成するため、本発明の請求項１にかかる光ディスク再生方法は、光ディスクから読み取った信号からアドレス領域又はデータ領域を示す情報を、アナログ処理系において抽出する工程と、前記情報に基づいて、アドレス領域からの信号のアナログ処理をするか、または、データ領域からの信号のアナログ処理をするかを指示する信号を生成する工程と、を含むことを特徴とする。
【手続補正３】
【補正対象書類名】明細書
【補正対象項目名】００１４
【補正方法】変更
【補正の内容】
【００１４】
また、請求項２にかかる光ディスク再生方法は、光ディスクから読み取った信号からアドレス領域又はデータ領域を示す情報を、アナログ処理系において抽出する工程と、光ディスクからの信号の読み出し開始直後は、前記情報に基づいて、アドレス領域からの信号のアナログ処理をするか、または、データ領域からの信号のアナログ処理をするかを指示する信号を生成する工程と、を含むことを特徴とする。
【手続補正４】
【補正対象書類名】明細書
【補正対象項目名】００１５
【補正方法】変更
【補正の内容】
【００１５】
また、請求項３にかかる光ディスク再生装置は、光ディスクから読み取った信号からアドレス領域又はデータ領域を示す情報を、アナログ処理系において抽出する手段と、前記情報に基づいて、アドレス領域からの信号のアナログ処理をするか、または、データ領域からの信号のアナログ処理をするかを指示する信号を生成する手段と、を含むことを特徴とする。
【手続補正５】
【補正対象書類名】明細書
【補正対象項目名】００１６
【補正方法】変更
【補正の内容】
【００１６】
また、請求項４にかかる光ディスク再生装置は、光ディスクから読み取った信号からアドレス領域又はデータ領域を示す情報を、アナログ処理系において抽出する手段と、光ディスクからの信号の読み出し開始直後は、前記情報に基づいて、アドレス領域からの信号のアナログ処理をするか、または、データ領域からの信号のアナログ処理をするかを指示する信号を生成する手段と、を含むことを特徴とする。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】変更
【補正の内容】
【００３６】
請求項１の光ディスク再生方法によれば、光ディスクから読み取った信号からアドレス領域又はデータ領域を示す情報を、アナログ処理系において抽出する工程と、前記情報に基づいて、アドレス領域からの信号のアナログ処理をするか、または、データ領域からの信号のアナログ処理をするかを指示する信号を生成する工程とを含むこととしたので、エンベロープ信号を用いてアドレス領域とデータ領域のタイミングを簡易的に生成して、システム全体の安定化を図ることが可能となる。
【手続補正２６】
【補正対象書類名】明細書
【補正対象項目名】００３７
【補正方法】変更
【補正の内容】
【００３７】
請求項２の光ディスク再生方法によれば、光ディスクから読み取った信号からアドレス領域又はデータ領域を示す情報を、アナログ処理系において抽出する工程と、光ディスクからの信号の読み出し開始直後は、前記情報に基づいて、アドレス領域からの信号のアナログ処理をするか、または、データ領域からの信号のアナログ処理をするかを指示する信号を生成する工程とを含むこととしたので、アドレス情報が速やかに取得できない場合のある光ディスクからの読み出し開始直後に、エンベロープ信号を用いてアドレス領域とデータ領域のタイミングを簡易的に生成して、システム全体の安定化を図ることが可能となる。
【手続補正２７】
【補正対象書類名】明細書
【補正対象項目名】００３８
【補正方法】変更
【補正の内容】
【００３８】
請求項３の光ディスク再生装置によれば、光ディスクから読み取った信号からアドレス領域又はデータ領域を示す情報を、アナログ処理系において抽出する手段と、前記情報に基づいて、アドレス領域からの信号のアナログ処理をするか、または、データ領域からの信号のアナログ処理をするかを指示する信号を生成する手段とを含むこととしたので、エンベロープ信号を用いてアドレス領域とデータ領域のタイミングを簡易的に生成して、システム全体の安定化を図ることが可能となる。
【手続補正２８】
【補正対象書類名】明細書
【補正対象項目名】００３９
【補正方法】変更
【補正の内容】
【００３９】
請求項４の光ディスク再生装置によれば、光ディスクから読み取った信号からアドレス領域又はデータ領域を示す情報を、アナログ処理系において抽出する手段と、光ディスクからの信号の読み出し開始直後は、前記情報に基づいて、アドレス領域からの信号のアナログ処理をするか、または、データ領域からの信号のアナログ処理をするかを指示する信号を生成する手段とを含むこととしたので、アドレス情報が速やかに取得できない場合のある光ディスクからの読み出し開始直後に、エンベロープ信号を用いてアドレス領域とデータ領域のタイミングを簡易的に生成して、システム全体の安定化を図ることが可能となる。
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００６６
【補正方法】変更
【補正の内容】
【００６６】
有効フラグ発生回路１０８は、アナログ処理系に対する制御信号であるゲート信号の出力位置の信頼性を示す有効フラグを発生する。セクタカウンタ１０９は、光ディスク上の物理位置を示すために用いるセクタカウント値を保持し、後述するクロックセレクト回路１１０から入力される選択クロック信号と、アドレス検出回路１０６から入力されるアドレス検出信号とに基づいて、セクタカウント値を更新する。
クロックセレクト回路１１０は、データ同期クロック発生ＰＬＬ１０２が発生する同期クロックと、サーボ１０３が生成する固定クロックとに対しての選択を行い、選択したクロック信号をセクタカウンタ１０９に出力する。
【手続補正４９】
【補正対象書類名】明細書
【補正対象項目名】０１０６
【補正方法】変更
【補正の内容】
【０１０６】
実施の形態２．
本発明の実施の形態２による光ディスク再生装置は、大容量・高密度化に対応した記録形式のアドレス領域を有する光ディスクを記録媒体として用いるものである。
本実施の形態２による光ディスク再生装置は、実施の形態１と同様の構成であり、説明には図１を用いる。